(57)【特許請求の範囲】
【請求項１】
可変速電動モータ、特に、同期モータまたは非同期モータの始動方法であって、
モータシャフトのブロッケージを識別するステップと、
前記モータシャフトを正トルクによって励起させるステップと、を含み、
前記識別するステップでブロッケージが検出された場合は、前記ブロッケージの離脱を達成するために、前記正トルクによる励起を、周波数変化を伴って振動しかつ連続的に変化する正トルクの連続的印加により実施することを特徴とする、方法。
【請求項２】
前記励起は、ｑ軸に沿った電流成分Ｉｑを介して制御されることを特徴とする請求項１記載の方法。
【請求項３】
前記電流成分Ｉｑの一定値は、最大値の半分Ｉｑ，ｍａｘ／２に制限されており、振動、好ましくは、周期的振動、特に好ましくは、正弦波振動が、前記電流成分Ｉｑの一定値に重畳されることを特徴とする請求項２記載の方法。
【請求項４】
前記振動の周波数は、変動されることを特徴とする請求項３記載の方法。
【請求項５】
前記周波数は、最小周波数および最大周波数を有する周波数域内において連続的に変動されることを特徴とする請求項４記載の方法。
【請求項６】
前記振動の振幅は、一定であり、好ましくは、前記電流成分Ｉｑの最大値の半分Ｉｑ，ｍａｘ／２以下であることを特徴とする請求項３〜５の何れか一項記載の方法。
【請求項７】
前記振動の振幅は、前記ブロッケージの離脱が識別された時点でゼロに低減されることを特徴とする請求項３〜６の何れか一項記載の方法。
【請求項８】
前記電動モータ、特に、同期モータまたは非同期モータは、電気角センサを用いることなく、電気角を決定するようになっていることを特徴とする請求項２〜７の何れか一項記載の方法。
【請求項９】
ｑ方向における制御電流、すなわち、コイル電流または電流成分Ｉｑが最大値に達するかまたは最大値を超え、および／または２つの連続するサンプリングステップの角位置φｎｅｗ、φｏｌｄ間の差が所定の閾値Δφを超えない時点で、ブロッケージが識別されることを特徴とする請求項２〜８の何れか一項記載の方法。
【請求項１０】
請求項１〜９の何れか一項記載の方法を実施するためのモータ制御装置を備えた電動モータ、特に、同期モータまたは非同期モータ。
【請求項１１】
請求項１０に記載の電動モータによって駆動されるように構成されたポンプ、特に、遠心ポンプ。
【発明の詳細な説明】
【技術分野】
【０００１】
本発明は、可変速モータ、特に、同期モータまたは非同期モータの始動方法、および電動モータ、特に、同期モータまたは非同期モータ自体に関する。
【背景技術】
【０００２】
種々の駆動装置または機械装置は、該装置を作動させるのに必要な駆動作業を行なう電動モータを有している。ある特定の作動条件下では、混入物に起因して、駆動列のブロッケージ（blockage）が生じることがある。この問題は、電動ポンプシステムに生じることが多い。何故なら、送達物の塊が混入物をポンプまたはモータハウジング内に一気に流し込み、その結果、ポンプまたはモータシャフトのブロッケージをもたらすことがあるからである。
【０００３】
多くの場合、ブロッケージを生じたポンプまたは駆動装置は、作動の継続を確実にするために、分解され、かつ洗浄されている。さらに考えられる方法として、モータまたは作業機械のシャフトに機械的な力を加えることによって、ブロッケージを解放させるかまたは必要な作動トルクを低減させることが挙げられる。例えば、特許文献１は、シャフトブロッケージが生じた場合、スクリュードライバーによって該シャフトブロッケージを解放させることを推奨している。
【０００４】
特許文献２は、ポンプインペラまたは任意の望ましい駆動装置のシャフトのブロッケージを識別するための方法を提案している。もしモータの必要な作動電流が一定の制限値を超えたなら、シャフトのブロッケージが推定されることになる。この場合、回転の交番方向における最大作動トルク、すなわち、最大正作動トルクまたは最大負作動トルクが、駆動装置に付加されることが意図されている。しかし、この方法の１つの欠点は、もし負作動トルクの付加中にブロッケージが解放されたらなら、駆動装置が一時的に逆の走行方向に走行する可能性があることである。
【先行技術文献】
【特許文献】
【０００５】
【特許文献１】独国特許第３２１０７６１Ｃ１号明細書
【特許文献２】欧州特許第０７７１０６５Ｂ１号明細書
【発明の概要】
【発明が解決しようとする課題】
【０００６】
従って、本発明の目的は、前述の課題を解消することができる電動モータの始動方法を改良することにある。
【課題を解決するための手段】
【０００７】
この目的は、請求項１の特徴に準じる方法によって達成されることになる。この方法の有利な実施形態は、主請求項に続く従属請求項の主題である。
【０００８】
従って、請求項１によれば、可変速電動モータの始動方法が提案されている。電動モータの特定の実施形態も、必要に応じて、提案されており、例えば、前記電動モータは、単相または多相の同期モータ、特に、同期リラクタンスモータの形態にあるものとすることができる。唯一の条件は、モータ速度を設定するための調整手段が組み入れられていることである。例えば、速度は、周波数変換機によって制御することが可能になっている。従って、本方法は、周波数変換機を有する非同期モータに対しても同様に実施することができる。
【０００９】
本発明による方法は、第１の方法ステップにおいて、モータシャフトのブロッケージが特定の作動条件に基づいて確実に識別されることを想定している。もしモータシャフトのブロッケージが確定されたなら、前記モータシャフトは、正トルクによって励起されるようになっている。この場合、正トルクは、所望のモータ方向において回転運動を生じさせるトルクを意味すると理解されたい。対照的に、負トルクは、逆方向におけるシャフトの回転運動を意味すると理解されたい。
【００１０】
本発明によれば、付加された正トルクは、連続的に変化されるようになっており、ブロッケージの離脱を達成するために、これらの連続的な変化は、周波数変化を伴う振動によって行なわれるようになっている。正トルクの連続的な付与は、本発明にとって不可欠である。トルクの連続的な可変周波数の変化に起因して、所謂、共振効果に基づき、固定された駆動シャフトの離脱が達成されることになる。その結果、先行技術によって知られている方法と比較して、ある特定の状況下にあるモータがロータシャフトの離脱中に逆方向に走行するという事態を回避することができる。
【００１１】
電動モータ、特に、同期モータの作動は、印加されるコイル電圧またはモータステータのモータ巻線に流れるコイル電流によって制御されるようになっている。用いられる相の数に依存して、これに対応する複数のコイル電流が、コイル電圧を変化させることによって、調整される必要がある。好ましくは、個々のコイル電流は、ｄ軸およびｑ軸を有するロータ座標系に変換されるとよい。ｄ軸は、ロータ自体によって生じる磁場の方向に延在している。ｑ軸は、ロータの回転面においてｄ軸と直交している。
【００１２】
本発明の特に好ましい変形実施形態によれば、正トルクによるモータシャフトの励起は、ｑ軸に沿った電流成分Ｉｑを介して調整されるようになっている。
【００１３】
特に好ましくは、電動モータ、特に、同期モータは、電流成分Ｉｑを一定値に調整するようになっている。理想的には、ｑ軸に沿った最大電流Ｉｑの半値Ｉｑ／２が一定値として用いられる。次いで、ブロッケージを離脱させるために正トルクの連続的変化を達成するために、振動、好ましくは、周期的振動が、この一定値に重畳されるようになっている。この場合、振幅は、正トルクが常にモータシャフトに存在するように、選択されるようになっている。
【００１４】
正弦関数、余弦関数、または任意の他の周期的振動が、適切な振動関数、特に、周期的振動関数であることが判明している。
【００１５】
固定されたロータの離脱を加速させることができる共振効果を達成するために、重畳される振動の周波数は、好ましくは、変動されるようになっている。従って、トルクが変動されるのみならず、その変化の速度も変動されることになる。これによって、共振効果に基づき、ブロッケージの効率的かつ迅速な離脱をもたらす、最適な振動による緩和機能が得られることになる。
【００１６】
理想的には、周波数は、最小周波数および最大周波数を有する周波数域内において変動されるようになっている。この変動は、不連続的に行なわれてもよいし、または連続的に行なわれてもよい。
【００１７】
可変振幅輪郭を有する振動を電流成分Ｉｑの一定値に重畳させることができる。しかし、一定振幅の振動の使用が好ましい。理想的には、用いられる重畳振動の振幅は、電流成分Ｉｑの最大値の半分以下である。従って、電流成分の作用方向が変化せず、その結果、正トルクが常に存在することになる。
【００１８】
ブロッケージの解放が識別された時点で、重畳されている振動の振幅をゼロに低減させると好都合である。この場合、モータ作動は、最初、一定値である電流成分Ｉｑの最大値の半値で継続され、所望のモータ速度が設定されるまで、必要に応じて、段階的に増大されることになる。
【００１９】
本発明による方法は、電気角のセンサレス測定を行なう同期モータ、特に、同期リラクタンスモータでの使用に特に適している。この場合、電気角は、ロータの磁場強度分布の角度、すなわち、励磁コイル相に対するｄ軸の角度を意味すると理解されたい。電気角は、一般的に、ｑ軸およびｄ軸に沿った電流成分に基づき、計算することが可能である。
【００２０】
計算された電気角を用いることによって、本発明の特に好ましい形態では、ロータシャフトのブロッケージが生じているかどうかを判断することができる。具体的には、もし今回サンプリングステップの角位置と前回サンプリングステップの角位置との間の差が特定の制限値を超えていないなら、制御装置によって、ロータシャフトのブロッケージが推定されることになる。例えば、２つのサンプリング時間の間の角度変化は、差値を示していないかまたは無視し得るほど小さい差値しか示していないことになる。もし同期機械装置が電気角のどのような変化も示していないなら、回転運動が生じていないことに基づき、ロータシャフトが固定されていると判断することができる。これをブロッケージに対する第１の必要な基準とすることができる。
【００２１】
加えて、電流成分Ｉｑの増大を第２の必要な基準として用いることができる。
【００２２】
もしこれらの基準の両方が同時に満たされたなら、ブロッケージが識別されることになる。もし計算された電流成分Ｉｑが最大値に達するかまたは最大値を超え、角度変化が制限閾値未満であったなら、ロータシャフトが固定されていると判断されるべきである。
【００２３】
さらに、本発明は、本発明による方法または本発明による方法の有利な変形実施形態の１つを実施するためのモータ制御装置を備える電動モータ、特に、同期モータまたは非同期モータに関する。電動モータ、特に、同期モータまたは非同期モータは、好ましくは、モータ作動中に速度変化を可能にする周波数変換機を備えている。加えて、電動モータは、コイル電圧の最適化のためにロータの現在角度を計算するセンサレスモータとして実施されると好都合である。また、電動モータは、同期リラクタンスモータの形態にあると好都合である。電動モータの利点および特性は、明らかに、本発明による方法または該方法の有利な構成の利点および特性に対応しており、この理由から、ここでは、説明の重複を省略することにする。
【００２４】
加えて、本発明は、本発明による電動モータを介して駆動されるポンプ、特に、遠心ポンプに関する。明らかに、本発明によるポンプの利点および特性は、本発明による電動モータまたは該電動モータの有利な形態の利点および特性に対応している。
【００２５】
以下、図面を参照して、本発明のさらなる利点および特性についてさらに詳細に説明する。
【図面の簡単な説明】
【００２６】
【図１】時間の経過に伴うｑ軸に沿った同期機械装置の電流成分Ｉｑの概略を表すグラフである。
【発明を実施するための形態】
【００２７】
単一図は、時間の経過に伴うｑ軸に沿った同期機械装置の電流成分Ｉｑの概略を表すグラフを示している。前述したように、電流成分Ｉｑは、軸ｑおよび軸ｄを有するロータ座標系に変換されたコイル電流を表している。従って、電流成分Ｉｑは、トルク形成電流として解釈することができ、それ故、ロータシャフトに存在するトルクと同等と見なすことができる。
【００２８】
付与されるトルクを変動させるために、同期機械装置は、周波数変換機を用いて３相同期モータの電流調節操作を可能にする制御ユニットを備えている。モータの速度は、周波数変換機によって正確に設定することができる。
【００２９】
この駆動技術によって、ロータの角位置が決定され、これに応じて、ステータの磁場を配向させることができ、その結果、ロータの最適な作動特性が得られることになる。しかし、同期モータは、現在電気角を直接検出するためのセンサシステムを備えていない。しかし、この電気角は、測定されたコイル電流に基づいて計算することができる。
【００３０】
センサを用いることなく決定されるこの角位置に基づいて、さらに以下の条件によってブロッケージを確実に識別することができる。
（Ｉｑ≧Ｉｑ，ｍａｘ）および（φold−φnew ＜Δφ）
【００３１】
上記の式において、Ｉｑは、ロータ座標システムのｑ軸に沿った電流成分を表し、Ｉｑ，ｍａｘは、ｑ軸に沿った最大可能電流成分を表し、ｑｎｅｗは、今回サンプリングステップにおけるロータの今回角位置を表し、φｏｌｄは、前回サンプリングステップの角位置を表し、Δφは、角位置の閾値を表している。
【００３２】
もし駆動装置の作動中に、この条件が一度満たされたなら、またはある特定の時間帯にわたって永続的にまたは主として満たされたなら、同期モータの制御装置によって、駆動シャフトのブロッケージが推定されることになる。
【００３３】
この場合、振動による緩和機能は、広域帯励起から開始される。この目的のために、ｑ軸に沿った電流成分が、その最大値の半分に低減される。グラフの例に基づき、この手順について説明する。時間１において、同期モータの作動が開始され、その結果、コイル電流または電流がｑ軸に沿って流れる。時間２において、電流成分Ｉｑの値は、ｑ軸に沿って最大電流Ｉｑ，ｍａｘに達する。この時間の後、前述の条件が満たされることになる。しかし、ブロッケージの検出のために、少なくとも時間２から時間３までの時間間隔にわたって、この条件が満たされている必要がある。
【００３４】
時間３において、ｑ軸に沿った電流成分は、最大値の半分、すなわち、５０％に半減される。加えて、時間４において、一定振幅の周期的振動が、一定の電流成分Ｉｑ，ｍａｘ／２に重畳される。図示されている例示的実施形態では、この場合、電流成分Ｉｑの最大値の半分のＩｑ，ｍａｘ／２に対応する振幅を有する正弦波振動が、重畳される。その結果、重畳された振動によって、正弦波形の電流成分Ｉｑが生じ、前記正弦波形は、常に、正の値を取ることになる。
【００３５】
最小周波数ｆｍｉｎと最大周波数ｆｍａｘとの間で連続的に変動する正弦波振動の周波数によって、振動による緩和が確実に達成されることになる。その結果、駆動列は、種々の周波数、すなわち、広域周波数で励起され、これによって、目標物内に共振効果が生じ、固定された駆動シャフトの離脱が達成されることになる。
【００３６】
ブロッケージの条件が満たされなくなった時点で、時間５に示されているように、駆動周波数の振幅は、迅速にゼロに低減され、これによって、駆動装置は、所望の方向に自在に走行することになる。この時間の後、同期機械装置の設定速度は、連続的に増大され、その結果、電流成分Ｉｑもその最大値Ｉｑ，ｍａｘに向かって上昇することになる。
【図１】
0006353895.tif 000002